(57)【要約】  【課題】利用者に合わせてホット商品の仕上がり温度が選択でき、利用者の商品購入動作負荷を低減した誘導加熱式の加熱装置を搭載した自動販売機を提供する。  【解決手段】利用客の選択により加熱しホット商品として提供する缶商品の自動販売機１０で、外扉１２に、販売指令に基づいて自動販売機本体１１内にある商品収納室内から搬出した商品を取り出す商品取出口２０から一旦外部に取出した商品を加熱するために投入する商品投入口１８を備え、商品投入口１８の後方に備えた誘導加熱式の缶商品加熱装置１７を配置して、商品は缶商品加熱装置１７により加熱することでホット商品として仕上がれば、商品投入口１８から取出せる。【選択図】図１
2008033492.tif 000002
【特許請求の範囲】
【請求項１】
誘導加熱式の缶商品加熱装置を搭載し、利用客の選択により加熱しホット商品として提供する缶商品の自動販売機において、前記自動販売機の外扉に、販売指令に基づいて前記自動販売機内にある商品収納室内から搬出した商品を取り出す商品取出口と、前記商品取出口から一旦外部に取出した商品を加熱するために投入する商品投入口とを備え、前記商品投入口の後方には前記誘導加熱式の缶商品加熱装置を配置し、商品は前記缶商品加熱装置により加熱することでホット商品として仕上がれば、前記商品投入口から取出せることを特徴とする自動販売機。
【請求項２】
利用者の選択操作によりホット商品の仕上がり温度を選択できる選択手段を備えたことを特徴とする請求項１に記載の自動販売機。
【請求項３】
商品投入口には透明扉が備えられ、前記透明扉を通して缶商品加熱装置の駆動状態を可視化できることを特徴とする請求項１に記載の自動販売機。
【請求項４】
販売指令待機時は透明扉はロックされ、商品選択操作による販売指令があれば透明扉のロックを解除することを特徴とする請求項３に記載の自動販売機。
【請求項５】
缶商品加熱装置に商品が設置されると、透明扉はロックされ前記缶商品加熱装置により加熱が完了するとロックが解除されることを特徴とする請求項３に記載の自動販売機。
【請求項６】
缶商品加熱装置はセットされた商品が加熱可能か否かを判断した後、加熱動作を行うことを特徴とする請求項１に記載の自動販売機。
【請求項７】
自動販売機本体の前面に配置した外扉上部に販売商品のサンプルを展示するサンプル展示室を有し、下部に商品収納室から搬出した商品を取り出す商品取出口を有し、前記サンプル展示室と前記商品取出口の間に、商品等の広告を表示するディスプレイパネルと硬貨や紙幣を投入する金銭投入部を備え、前記ディスプレイパネルと前記金銭投入部の間に缶商品加熱装置の商品投入口を備えたことを特徴とする請求項１に記載の自動販売機。
【発明の詳細な説明】
【技術分野】
【０００１】
本発明は自動販売機内に誘導加熱式の缶商品加熱装置を搭載し、搬出した缶商品を利用者の選択により誘導加熱してホット商品として提供するようにした自動販売機に関するものである。
【背景技術】
【０００２】
従来、この種の自動販売機で、一旦外部に商品を取り出して誘導加熱式の加熱装置に商品を投入して、それに連通する商品取出し口に再び搬出する機構を備えた特許文献１のものがある。
【０００３】
図２は特許文献１に記載された従来の自動販売機の正面図である。図２に示すように、自動販売機１の外扉２に商品収納ラックから払出した商品が搬出される商品取出口３、および商品取出口３から一旦取り出した商品を投入する商品投入口４を備え、かつ商品投入口４と商品取出口３との間の通路途上に誘導加熱式の缶商品加熱装置５を配備し、商品取出口３に搬出した商品を客の選択で商品取出口３から商品投入口４に移し替え、加熱装置で加熱して商品取出口３に再び搬出するようにするとともに、外扉２にはホット商品の仕上がり温度選択ボタン６を備え、缶商品の加熱動作と商品搬出動作を切り離して商品を商品収納ラックから商品取出口３に搬出できるようにし、併せてホット商品の仕上がり温度を利用者の好みに応じて選択できるようにしている。
【特許文献１】特開２０００−１７２９３８号公報
【発明の開示】
【発明が解決しようとする課題】
【０００４】
しかしながら、上記従来の構成では、選択した商品を商品取出口３に搬出し、この商品を取り出して加温するために商品投入口４に投入して、適温に加温されると、再び商品取出口３に搬出されるので、利用者がその商品を商品取出口３から取り出すという動作をしなければならない。
【０００５】
特に商品選択ボタンが自動販売機１の上部、商品取出口３が下部にあり、缶商品加熱装置５の投入口４がその中間部にあると、利用者は立ったりしゃがんだりする動作を繰り返し行う必要があり、利用者に負荷がかかるという課題を有していた。
【０００６】
また利用者が購入した商品を再度自動販売機へ投入するため、本当に暖められて再度搬出されるか不安を感じさせていた。
【０００７】
また商品投入口４から商品取出口３へのシュータ１０、１１を外扉２の裏面に形成する必要があり、制御ボックス１２とシュータ１０、１１が干渉しないように制御ボックス１２をずらして配置したり、外扉２の表面に商品等の広告をディスプレイするディスプレイパネルの配置規制やディスプレイパネルを配置することができないという課題を有していた。
【０００８】
本発明は、上記従来の課題を解決するもので、利用者への一連の商品購入動作の負荷を低減し、外扉に配置された機能部品間の無効空間を使って、缶商品加熱装置やその商品投入口を形成した自動販売機を提供することを目的とする。
【課題を解決するための手段】
【０００９】
上記従来の課題を解決するために、本発明の自動販売機は、利用者が選択した商品を搬出する商品取出口とは別に商品を加温する缶商品加熱装置の商品投入口を備え、缶商品加熱装置によって加熱された商品は商品投入口から取り出せる構成としたものである。
【００１０】
これによって、商品投入口と加温した商品の取出口が同じなので利用者への商品購入動作の負荷を低減することができる。
【発明の効果】
【００１１】
本発明の自動販売機は、利用者への商品購入動作の負荷を低減することができる。
【００１２】
また、外扉に配置したディスプレイパネルと金銭投入部の間に商品投入口および缶商品加熱装置を配置するので、無効空間を低減することができる。
【発明を実施するための最良の形態】
【００１３】
請求項１に記載の発明は、誘導加熱式の缶商品加熱装置を搭載し、利用者の選択により加熱しホット商品として提供する缶商品の自動販売機において、前記自動販売機の外扉に、販売指令に基づいて前記自動販売機内にある商品収納室内から搬出した商品を取り出す商品取出口と、前記商品取出口から一旦外部に取出した商品を加熱するために投入する商品投入口とを備え、前記商品投入口の後方には前記誘導加熱式の缶商品加熱装置を配置し、商品は前記缶商品加熱装置により加熱することでホット商品として仕上がれば、前記商品投入口から取出せることにより、缶商品加熱装置が商品投入口の後方にあるのでホット商品として仕上がれば商品投入口から取り出せることができる。
【００１４】
請求項２に記載の発明は、請求項１に記載の発明に、利用者の選択操作によりホット商品の仕上がり温度を選択できる選択手段を備えたことにより、利用者の好みに合わせて商品の仕上がり温度を設定することができる。
【００１５】
請求項３に記載の発明は、請求項１に記載の発明に、商品投入口には透明扉が備えられ、前記透明扉を通して缶商品加熱装置の駆動状態を可視化できることにより、利用者への購買意欲を高めるとともに、順番待ちの利用者へアピールすることができる。
【００１６】
請求項４に記載の発明は、請求項３に記載の発明に、販売指令待機時は透明扉はロックされ、商品選択操作による販売指令があれば透明扉のロックを解除することにより、待機中の缶商品加熱装置へのいたずら防止と他からの持ち込みによる缶商品加熱装置の使用を規制することができる。
【００１７】
請求項５に記載の発明は、請求項３に記載の発明に、缶商品加熱装置に商品が設置されると、透明扉はロックされ前記缶商品加熱装置により加熱が完了するとロックが解除されることにより缶商品加熱装置の駆動時に扉をロックすることで安全を確保することができる。
【００１８】
請求項６に記載の発明は、請求項１に記載の発明に、缶商品加熱装置はセットされた商品が加熱可能か否かを判断した後、加熱動作を行うことにより、たとえば炭酸飲料など加熱すると良くない商品をセットした段階で判断し、加熱できないと判断された商品に対しては加熱動作を行わないようにする。
【００１９】
請求項７に記載の発明は、請求項１に記載の発明に、自動販売機本体の前面に配置した外扉上部に販売商品のサンプルを展示するサンプル展示室を有し、下部に商品収納室から搬出した商品を取り出す商品取出口を有し、前記サンプル展示室と前記商品取出口の間に、商品等の広告を表示するディスプレイパネルと硬貨や紙幣を投入する金銭投入部を備え、前記ディスプレイパネルと前記金銭投入部の間に缶商品加熱装置の商品投入口を備えたことにより、ディスプレイパネルと金銭投入部の間の無効空間を有効に活用することができる。
【００２０】
以下、本発明の実施の形態について、図面を参照しながら説明する。なお、この実施の形態によって本発明が限定されるものではない。
【００２１】
（実施の形態１）
図１は、本発明の実施の形態１における誘導加熱式の缶商品加熱装置を搭載した自動販売機の全体構成を示す正面図である。図１において、自動販売機１０は自動販売機本体１１と、その前面を覆う外扉１２で構成されている。外扉１２の上部には販売商品のサンプルを展示するサンプル展示室１３、サンプルに対応した商品選択ボタン１４が備えられている。サンプル展示室１３の下方には商品等の広告を表示するディスプレイパネル１５が配置され、その横方向には硬貨や紙幣を投入する金銭投入部１６を備えている。
【００２２】
そしてディスプレイパネル１５と金銭投入部１６の間には誘導加熱式の缶商品加熱装置１７に連通する商品投入口１８が形成され、その前面を覆うように透明扉１９が備えられている。また商品投入口１８の下方で外扉１２の下部には販売指令に基づいて自動販売機本体１１内にある商品収納室（図示しない）内から搬出した商品を取り出す商品取出口２０が備えられている。
【００２３】
また、ディスプレイパネル１５の背面には自動販売機１０の駆動制御を行う制御部や誘導加熱式の缶商品加熱装置１７の制御部（図示しない）が配置されている。
【００２４】
缶商品加熱装置１７の構成は、商品投入口１８の後方奥部に起立姿勢で缶商品を収容するように構成され、起立姿勢の状態で誘導加熱を行う構成となっている。そして缶商品が所定温度になったかを検知する温度センサ２１、缶商品が加熱可能か否かを判断する判定検知センサ２２などが組み合わさって構成されている。
【００２５】
また商品投入口１８の近傍にはホット商品の仕上がり温度を選択する選択ボタン２３が配置されている。選択ボタン２３は「熱め」、「ぬるめ」の２つのボタンで形成されており、仕上がり温度を変化できる。
【００２６】
次に自動販売機の商品販売動作、ホット商品を誘導加熱する動作を説明する。
【００２７】
まず、利用者がお金を投入して商品を商品選択ボタン１４で選択すると、商品は商品取出口２０から搬出される。この時、自動販売機本体１１中の加温可能な商品は約３０℃に温められている。したがって自動販売機本体１１内に商品があるときは５０℃以上に加温されていないので、保管時の商品品質を向上することができる。
【００２８】
ここで、加温可能商品を利用者が商品取出口２０から一旦取り出して、商品投入口１８に手で商品を起立姿勢で投入すると、商品は起立姿勢のまま缶商品加熱装置１７で加熱される。この時、選択ボタン２３により商品の加熱温度を選択すると、加熱可能か否かを判断する判定検知センサ２２によって缶商品の表面に表示された所定の表示部を読み取って加熱可能であれば缶商品加熱装置１７による加熱が開始される。缶商品は起立姿勢のまま自転駆動し、選択された仕上がり温度になったと温度センサ２２で検地されると回転を停止しホット商品として商品投入口１８から取り出すことができる。
【００２９】
この誘導加熱式の缶商品加熱装置と透明扉１９との関係について説明すると、商品選択ボタン１４が押されていない、いわゆる販売指令待機時は透明扉１９はロックされた状態で、利用者が自動販売機１０の商品選択ボタン１４を操作することで、透明扉１９のロックが解除される。そして利用者が缶商品加熱装置１７に缶商品をセットして透明扉１９を閉じるとロックされる。仕上がり温度に商品が温められ終了すると、透明扉１９のロックが解除されて利用者はホット商品を取り出すことができる。
【００３０】
缶商品の加熱中は透明扉１９を通して缶商品加熱装置１７の駆動動作を見ることができるので利用者に加温中をアピールすることができる。また利用者が投入した缶商品が駆動しているので、利用者が購入した缶商品を確認しながら加温できる。また仕上がったホット商品を商品投入口１８から取り出すことができるので利用者の商品購入動作負荷を低減することができる。
【００３１】
また缶商品加熱装置１７の配置として上記のようにディスプレイパネル１５と金銭投入部１６の間に配置した。実施例の場合、温められたホット商品は商品取出口２０に搬出される構成ではないので通路を構成する必要がなく、また缶商品を起立姿勢の状態で加熱するのでスペースを大きくとる必要がなく缶商品加熱装置１７をコンパクトに構成することができる。したがって従来ディスプレイパネル１５と金銭投入部１６の間にあった無効空間を有効に活用することができる。
【産業上の利用可能性】
【００３２】
以上のように本発明にかかる飲料自動販売機は多種類の缶飲料の自動販売機に対応でき加温対象商品の品質保持期間をさらに向上させた自動販売機を提供することができる。
【図面の簡単な説明】
【００３３】
【図１】本発明の実施の形態１における自動販売機の正面図
【図２】従来の自動販売機の正面図
【符号の説明】
【００３４】
１０  自動販売機
１１  自動販売機本体
１２  外扉
１３  サンプル展示室
１４  商品選択ボタン
１５  ディスプレイパネル
１６  金銭投入部
１７  缶商品加熱装置
１８  商品投入口
１９  透明扉
２０  商品取出口
【図１】
2008033492.tif 000003
【図２】
2008033492.tif 000004